(57)【特許請求の範囲】
【請求項１】
携帯用端末機に内蔵され、外部のリーダー機と通信して前記リーダー機が送信する信号をＮＦＣ用チップに伝達して、前記ＮＦＣ用チップが提供する信号を前記リーダー機に送信するＮＦＣ用アンテナ部と、
前記携帯用端末機に内蔵され、前記リーダー機が送信する信号を前記ＮＦＣ用アンテナ部に中継して、前記ＮＦＣ用アンテナ部を介して送信される信号を前記リーダー機に中継する中継部と、
を有し、
前記ＮＦＣ用アンテナ部及び前記中継部は、バッテリーと該バッテリーを保護するＰＣＭとを有するバッテリーパックの内部に取り付けられ、前記ＰＣＭは前記バッテリーの近傍に位置し、
ＮＦＣ用アンテナが前記ＰＣＭに装着され、
前記中継部は、前記バッテリー及び前記ＰＣＭの上部に位置する、二重共振を用いるＮＦＣ用アンテナ。
【請求項２】
前記ＮＦＣ用アンテナ部は、コンデンサと二重共振を構成して前記ＮＦＣ用チップの送受信端子に接続されるループアンテナを含む請求項１に記載の二重共振を用いるＮＦＣ用アンテナ。
【請求項３】
前記バッテリーパックは、前記携帯用端末機に着脱可能であり、前記ループアンテナ及び前記中継部と一体にモールディングされて形成される請求項２に記載の二重共振を用いるＮＦＣ用アンテナ。
【請求項４】
前記ループアンテナは、ループアンテナのパターンが複数のシートに形成され、前記ループアンテナのパターンが形成された複数のシートが積層され、前記ループアンテナのパターンがビアホールを介して相互間に接続されるようにしたＳＭＴ型である請求項２に記載の二重共振を用いるＮＦＣ用アンテナ。
【請求項５】
前記中継部は、ループアンテナ及びコンデンサが共振を構成する閉回路で形成されて、前記リーダー機及び前記ＮＦＣ用アンテナ部の送信信号を中継する請求項１に記載の二重共振を用いるＮＦＣ用アンテナ。
【請求項６】
前記中継部は、フィルムの上面にループアンテナのパターンが形成され、前記中継部のループアンテナのパターンの両端部の間にコンデンサが接続される請求項２に記載の二重共振を用いるＮＦＣ用アンテナ。
【請求項７】
前記コンデンサは、前記フィルムの上面及び背面に前記コンデンサの一側端子及び他側端子が相互に向き合うように印刷され、前記一側端子及び他側端子のパターンが前記中継部のループアンテナパターンの両端部に各々電気的に接続される請求項６に記載の二重共振を用いるＮＦＣ用アンテナ。
【請求項８】
前記コンデンサは、個別素子を用いて前記中継部のループアンテナのパターンの両端部の間に接続される請求項６に記載の二重共振を用いるＮＦＣ用アンテナ。
【請求項９】
前記中継部に付着されるフェライトシートを更に含む請求項１に記載の二重共振を用いるＮＦＣ用アンテナ。
【発明の詳細な説明】
【技術分野】
【０００１】
本発明は、二重共振を用いるＮＦＣ（Ｎｅａｒ  Ｆｉｅｌｄ  Ｃｏｍｍｕｎｉｃａｔｉｏｎ）アンテナに関するものである。
【背景技術】
【０００２】
ＲＦＩＤ（Ｒａｄｉｏ  Ｆｒｅｑｕｅｎｃｙ  Ｉｄｅｎｔｉｆｉｃａｔｉｏｎ、電波識別）システムは電波を用いる自動認識分野の一つとして、超短波や長波などの電波を用いて予め格納されている所定の情報を無線で認識するものであり、無線周波数識別システムとも言う。
【０００３】
前記ＲＦＩＤシステムの動作原理は、タグ（ｔａｇ）に格納されている情報をリーダー機が受信し認識して分析し、タグが装着された物品の固有情報を取ることができるようにするものである。
【０００４】
また、前記ＲＦＩＤシステムは、ＲＦ（Ｒａｄｉｏ  Ｆｒｅｑｕｅｎｃｙ）信号を用いるため、雪、雨、風、ほこり及び磁束などのような周辺環境の影響を受けなく、また認識速度が速いことから移動中であっても認識が可能であり、一定程度の遠距離であっても認識が可能で、製造過程から固有のＩＤ（Ｉｄｅｎｔｉｆｉｃａｔｉｏｎ）を付与して偽造が殆ど不可能であるという特徴がある。
【０００５】
一般的に、このＲＦＩＤシステムはリーダー機、アンテナ、タグで構成されており、前記アンテナはタグとリーダー機の間で中継の役割を担当するもので、リーダー機は所定周波数の信号を用い前記タグに電力と信号を送信してタグを活性化させ、活性化されたタグからの応答を受ける。
【０００６】
一方、ＲＦＩＤの一分野であるＮＦＣ（Ｎｅａｒ  Ｆｉｅｌｄ  Ｃｏｍｍｕｎｉｃａｔｉｏｎ）は、１３．５６ＭＨｚの周波数を用い、近距離において低電力でデータを送信する近距離無線通信としてＩＳＯ  １８０９２に標準として規定されている。
【０００７】
また、ＮＦＣは上述の１３．５６ＭＨｚの周波数の他にも１２５ｋＨｚ、１３５ｋＨｚ及び９００ＭＨｚそして多様な周波数信号で近距離無線通信を行なうことができる。
【０００８】
ＮＦＣは情報機器の間にデータ送受信が可能であって携帯用端末機間は勿論ラップトップコンピュータと携帯用端末機間のアドレスブックやゲーム、ＭＰ３ファイルなどをやり取りできることが長所である。
【０００９】
また、所定の周波数帯域を用いるＮＦＣ技術は安定性が高くて交通カードなどのモバイル支払いに使用されており、今後には所定の情報を格納したタグに接近すると各種の情報を得る情報端末機として活用できるだろう。
【００１０】
このＮＦＣ用チップが内蔵されている携帯用端末機は現在流通初期段階であり、今後の携帯電話などのような移動通信端末機などに幅広く採用されると予測されている。
【００１１】
このＮＦＣ用チップを内蔵している携帯用端末機は通常的にＮＦＣアンテナを具備し、そのＮＦＣアンテナを介して外部のリーダー機と通信を行っている。
【００１２】
しかし、前記携帯用端末機に具備されているＮＦＣアンテナは、リーダー機と非常に近接されないと通信ができないものであって、ＮＦＣアンテナの認識距離を増加させる必要があった。
【発明の概要】
【発明が解決しようとする課題】
【００１３】
本発明が解決しようとする課題は、二重共振を用いてＮＦＣアンテナの認識距離を増加させる二重共振を用いるＮＦＣアンテナを提供する。
【００１４】
本発明の技術的課題は、上述の技術的課題に制限されることではなく、言及されてない他の技術的課題は以下の記載から本発明が属する技術分野で通常の知識を持つ者が明確に理解できるだろう。
【課題を解決するための手段】
【００１５】
本発明の二重共振を用いるＮＦＣアンテナによると、コンデンサとループアンテナで閉回路を構成しつつリーダー機とＮＦＣ用チップが相互間に送信する所定周波数の信号に共振を構成する中継部を携帯用端末機に付着する。
【００１６】
そして、ＮＦＣ用チップとリーダー機が通信を行う場合に前記中継部はリーダー機が送信する信号を前記ＮＦＣ用アンテナ部に中継して、前記ＮＦＣ用チップが前記ＮＦＣ用アンテナ部を介して送信する信号を前記リーダー機に中継して認識距離を増加させる。
【００１７】
それで、本発明の二重共振を用いるＮＦＣアンテナは携帯用端末機に内蔵されて、外部のリーダー機と通信し前記リーダー機が送信する信号をＮＦＣ（Ｎｅａｒ  Ｆｉｅｌｄ  Ｃｏｍｍｕｎｉｃａｔｉｏｎ）用チップに伝達して、前記ＮＦＣ用チップが提供する信号を前記リーダー機に送信するＮＦＣ用アンテナ部と、前記携帯用端末機に付着され、前記リーダー機が送信する信号を前記ＮＦＣ用アンテナ部に中継して、前記ＮＦＣ用チップが前記ＮＦＣ用アンテナ部の送信信号を前記リーダー機に中継する中継部を含む。
【００１８】
前記ＮＦＣ用アンテナ部は、コンデンサと並列共振を構成して前記ＮＦＣ用チップの送受信端子に接続されるループアンテナを含む。
【００１９】
前記ＮＦＣ用アンテナ部のループアンテナは前記携帯用端末機内の基板に付着され、前記中継部は前記携帯用端末機のケースの内面に付着される。
【００２０】
また、前記ＮＦＣ用アンテナ部のループアンテナは前記携帯用端末機内の基板に付着され、前記中継部は前記携帯用端末機のケースの外面に付着される。
【００２１】
また、前記ＮＦＣ用アンテナ部のループアンテナは前記携帯用端末機内の基板に付着され、前記中継部は前記携帯用端末機のケースを保護する保護用ケースに付着される。
【００２２】
前記ＮＦＣ用アンテナ部のループアンテナは前記携帯用端末機に着脱されるバッテリーパック内のＰＣＭ（Ｐｒｏｔｅｃｔ  Ｃｉｒｃｕｉｔ  Ｍｏｄｕｌｅ）に具備され、前記中継部はバッテリーパック内に付着されて一体にモルドされる。
【００２３】
前記中継部のループアンテナは、複数のシートにループアンテナのパターンが形成され、そのループアンテナのパターンが形成された複数のシートを積層しつつ前記ループアンテナのパターンがビアホールを介して相互間に接続されるようにしたＳＭＴ（Ｓｕｒｆａｃｅ  Ｍｏｕｎｔ  Ｔｅｃｈｎｏｌｏｇｙ）型である。
【００２４】
前記中継部はループアンテナ及びコンデンサが共振を構成する閉回路で構成されて前記リーダー機及び前記ＮＦＣ用アンテナ部の送信信号を相互間に中継する。
【００２５】
また、前記中継部はフィルムの上面にループアンテナのパターンが印刷され、前記中継部のループアンテナのパターンの両端部の間にコンデンサが接続される。
【００２６】
前記中継部のコンデンサは前記フィルムの上面及び背面に前記コンデンサの一側端子及び他側端子のパターンが相互間に向き合うように印刷され、前記一側端子及び他側端子のパターンが前記中継部のループアンテナパターンの両端部に各々電気的に接続される。
【００２７】
前記中継部のコンデンサは個別素子を用いて前記中継部のループアンテナパターンの両端部の間に接続される。
【００２８】
前記中継部にはフェライトシートを含む。
【発明の効果】
【００２９】
本発明の二重共振を用いるＮＦＣアンテナは携帯用端末機にコンデンサ及びループアンテナに閉回路を構成して共振を構成する中継部を付着してリーダー機が送信する信号を中継部がＮＦＣ用アンテナ部に中継し、ＮＦＣ用チップでＮＦＣ用アンテナ部を介してリーダー機に送信する信号を中継部がリーダー機に中継する。
【００３０】
それでリーダー機がＮＦＣ用チップを認識して所定の情報を取る認識距離を増加させることができる。
【図面の簡単な説明】
【００３１】
【図１】本発明のＮＦＣアンテナの動作原理を説明するための図である。
【図２】本発明のＮＦＣアンテナで磁界中継部の一実施例の構成を示す平面図である。
【図３】図２のＡ−Ａ線の断面図である。
【図４】本発明のＮＦＣアンテナで磁界中継部の他の実施例の構成を示す平面図である。
【図５】本発明のＮＦＣアンテナを携帯用端末機に設けた一実施例の構成を示す断面図である。
【図６】本発明のＮＦＣアンテナを携帯用端末機に設けた他の実施例の構成を示す断面図である。
【図７】本発明のＮＦＣアンテナを携帯用端末機に設けたその他の実施例の構成を示す断面図である。
【図８】本発明のＮＦＣアンテナを携帯用端末機のバッテリーパックに設けたその他の実施例の構成を示す断面図である。
【図９】図８のＢ−Ｂ線の拡大断面図である。
【図１０】本発明のＮＦＣアンテナが磁界中継部にフェライトシートを具備したその他の実施例の構成を示す図である。
【図１１】本発明のＮＦＣアンテナが磁界中継部にフェライトシートを具備したその他の実施例の構成を示す図である。
【図１２】本発明のＮＦＣアンテナが磁界中継部にフェライトシートを具備したその他の実施例の構成を示す図である。
【図１３】本発明のＮＦＣアンテナが磁界中継部にフェライトシートを具備したその他の実施例の構成を示す図である。
【発明を実施するための形態】
【００３２】
以下の詳しい説明は例に過ぎなく、本発明の実施例を示すものに過ぎない。また、本発明の原理と概念は最も有用で易く説明する目的として提供される。
【００３３】
よって、本発明の基本理解のための必要以上の詳しい構造を提供したいことは勿論、通常の知識を持つ者が本発明の実体で実施されることができる多様な形態を図面を介して例示する。
【００３４】
図１は、本発明のＮＦＣアンテナの動作原理を説明するための図である。ここで、符号１００は例えば、移動通信端末機などのような各種の携帯用端末機に内蔵されるＮＦＣ（Ｎｅａｒ  Ｆｉｅｌｄ  Ｃｏｍｍｕｎｉｃａｔｉｏｎ）用チップで、符号１１０はリーダー機である。前記ＮＦＣ用チップ１００と前記リーダー機１１０は相互間に通信を行って前記リーダー機１１０が前記ＮＦＣ用チップ１００に格納されている所定の情報を取って、取った情報を処理する。
【００３５】
前記ＮＦＣ用チップ１００には携帯用端末機を使用する使用者を識別できる使用者情報のほか、所定の情報が予め格納されて、前記リーダー機１１０は前記ＮＦＣ用チップ１００に格納されている所定の情報を取って処理する。
【００３６】
符号１２０はＮＦＣ用アンテナ部である。前記ＮＦＣ用アンテナ部１２０は、前記ＮＦＣ用チップ１００の送受信端子にコンデンサ１２２及びループアンテナ１２４が並列共振を構成して接続される。
【００３７】
前記並列共振を構成するＮＦＣ用アンテナ部１２０は外部のリーダー機１１０が送信する所定周波数の信号を前記ループアンテナ１２４が受信して前記ＮＦＣ用チップ１００に伝達して、前記ＮＦＣ用チップ１００が提供する所定周波数の信号を前記リーダー機１１０に送信する。
【００３８】
符号１３０はリーダー機用アンテナ部である。前記リーダー機用アンテナ部１３０は前記リーダー機１１０の送受信端子にコンデンサ１３２及びループアンテナ１３４が接続され並列共振を構成するものであって、前記リーダー機１１０が提供する所定周波数の信号を前記ループアンテナ１３４が外部に送信し、前記ＮＦＣ用チップ１００が前記ループアンテナ１２４を介して送信する所定周波数の信号を受信して前記リーダー機１１０に入力させる。
【００３９】
符号１４０は中継部である。前記中継部１４０はコンデンサ１４２及びループアンテナ１４４に閉ループを構成して、前記ＮＦＣ用チップ１００が内蔵されている携帯用端末機に付着されて前記ＮＦＣ用アンテナ部１２０及び前記リーダー機用アンテナ部１３０が発生する所定周波数の信号を相互間に中継する役割を行う。
【００４０】
この構成を有する本発明は、リーダー機１１０が周期的に送受信端子に所定周波数の信号を出力する。
【００４１】
前記、リーダー機１１０が出力する所定周波数の信号はリーダー機用のアンテナ部１３０のコンデンサ１３２及びループアンテナ１３４に印加されることで、前記コンデンサ１３２及びループアンテナ１３４は前記リーダー機１１０が出力する所定周波数の信号に並列共振されてループアンテナ１３４に共振電流が流されることになり、その共振電流による磁界が前記ループアンテナ１３４で発生する。
【００４２】
この状態で使用者が携帯用端末機を前記リーダー機１１０に近接させると、前記ループアンテナ１３４から発生する磁界が中継部１４０のループアンテナ１４４に誘導されてコンデンサ１４２及びループアンテナ１４４が共振されつつループアンテナ１４４に磁界が発生する。
【００４３】
前記中継部１４０のループアンテナ１４４で発生される磁界は、ＮＦＣ用アンテナ部１２０のループアンテナ１２４に誘導されつつコンデンサ１２２及びループアンテナ１２４に並列共振が発生して共振電流が流れて、その共振電流の信号がＮＦＣ用チップ１００の送受信端子に入力される。
【００４４】
このように前記ＮＦＣ用チップ１００に共振電流の信号が入力されると、前記ＮＦＣ用チップ１００は予め格納されている所定の情報、例えば、携帯用端末機の使用者情報などを含む所定の情報を送受信端子に出力する。例えば、前記ＮＦＣ用チップ１００は所定周波数の信号で所定の情報を出力する。
【００４５】
前記ＮＦＣ用チップ１００の出力信号は、ＮＦＣ用アンテナ部１２０のループアンテナ１２４及びコンデンサ１２２に供給されてループアンテナ１２４及びコンデンサ１２２に共振電流が流されつつループアンテナ１２４が磁界を発生する。
【００４６】
前記ループアンテナ１２４が発生した磁界は、中継部１４０のループアンテナ１４４に誘導されてコンデンサ１４２及びループアンテナ１４４が共振されつつループアンテナ１４４に磁界が流される。
【００４７】
前記コンデンサ１４２は複数個が直列または並列に接続されることができる。前記コンデンサ１４２は、反射（ｒｅｆｌｅｃｔｉｏｎ）現象を減少させつつ受信距離を増加させることと共に信号と電力の損失を減少させて安定性を向上させることができる。
【００４８】
前記ループアンテナ１４４に流される磁界はリーダー機用アンテナ部１３０のループアンテナ１３４に伝達されコンデンサ１３２及びループアンテナ１３４に共振電流が流されて、その共振電流の信号がリーダー機１１０に入力されリーダー機１１０が前記ＮＦＣ用チップ１００に格納されている所定の情報を認識及び処理を行なう。
【００４９】
このような本発明は、携帯用端末機に中継部１４０を具備する。前記中継部１４０は携帯用端末機をリーダー機１１０に近接させる場合にリーダー機用アンテナ部１３０とＮＦＣ用アンテナ部１２０が相互間に送信する信号を中継することで前記リーダー機１１０が前記ＮＦＣ用チップ１００の認識距離を増加させることができる。
【００５０】
図２及び図３は、本発明のＮＦＣアンテナで中継部１４０の一実施例の構成を示す平面図及びＡ−Ａ線の断面図である。ここで、符号２００はフィルムである。例えば、前記フィルム２００は、ＰＥＴ（Ｐｏｌｙ  Ｅｔｈｙｌｅｎｅ  Ｔｅｒｅｐｈｔｈａｌａｔｅ）フィルムを用いてもよい。
【００５１】
前記フィルム２００の上面には導電性インクでループアンテナ１４４のパターンが印刷される。そして前記フィルム２００の上面及び背面に相互間に向き合うように前記コンデンサ１４２の一側端子１４２ａのパターンと他側端子１４２ｂのパターンが印刷されて、前記一側端子１４２ａのパターンがパターン延長部２１０を介して前記ループアンテナ１４４のパターンの一側端部と電気的に接続され、前記一側端子１４２ｂのパターンはパターン延長部２２０及びビアホール２３０を介して前記ループアンテナ１４４のパターンの他側端部に接続されるように構成する。
【００５２】
図４は、本発明のＮＦＣアンテナで中継部１４０の他の実施例の構成を示す平面図である。図４を参照すると、本発明の中継部の他の実施例は、前記コンデンサ１４２を前記フィルム２００にパターンで形成せず、個別素子を用いて前記ループアンテナ１４４のパターンの両側端部の間に接続して構成することができる。
【００５３】
このような構成を有する本発明の中継部１４０は、接着剤などで携帯用端末機に付着して使用する。
【００５４】
図５は、本発明のＮＦＣアンテナを携帯用端末機に設けた一実施例の構成を示す断面図である。ここで、符号４００は携帯用端末機に内蔵されている基板である。前記基板４００には、通常の方法で前記ＮＦＣ用チップ１００が装着されることと共にＮＦＣ用アンテナ部１２０のコンデンサ１２２とループアンテナ１２４が装着される。
【００５５】
前記ループアンテナ１２４は、複数のシートに所定の長さを有するアンテナのパターンを形成して、そのアンテナのパターンが形成された複数のシートを積層しつつループアンテナのパターンがビアホール（ｖｉａ  ｈｏｌｅ）を介して相互間に接続されるように製造したＳＭＴ（Ｓｕｒｆａｃｅ  Ｍｏｕｎｔ  Ｔｅｃｈｎｏｌｏｇｙ、表面実装技術）型のループアンテナ１２４を前記基板４００に装着する。
【００５６】
符号４１０は携帯用端末機のケースである。例えば、携帯用端末機の裏面ケースで、前記ケース４１０の内面には前記中継部１４０が構成されたフィルム２００が接着剤などを用いて付着される。
【００５７】
図６は、本発明のＮＦＣアンテナを携帯用端末機に設けた他の実施例の構成を示す断面図である。図６を参照すると、本発明の他の実施例は、前記中継部１４０が構成されたフィルム２００を前記ケース４００の外面に接着剤などで付着して構成することができる。
【００５８】
図７は、本発明のＮＦＣアンテナを携帯用端末機に設けたまた他の実施例の構成を示す断面図である。図７を参照すると、本発明のまた他の実施例は、携帯用端末機の保護用ケース６００の内面に前記中継部１４０が構成されたフィルム２００を接着剤などで付着して構成することができる。
【００５９】
すなわち、通常的に携帯用端末機はケース４００に傷が生じられないように使用者が保護用ケース６００を付着して使用する場合がある。
【００６０】
この場合に、本発明のまた他の実施例においては使用者が前記中継部１４０が構成されたフィルム２００を接着剤などで携帯用端末機の保護用ケース６００の内面に付着して構成することができる。
【００６１】
また、本発明においては図示されていないが、前記中継部１４０が構成されたフィルム２００を接着剤などで携帯用端末機の保護用ケース６００の外部面に付着して構成してもよい。
【００６２】
図８及び図９は、本発明のＮＦＣアンテナを携帯用端末機のバッテリーパックに設けたまた他の実施例の構成を示す断面図及びＢ−Ｂ線の断面図である。ここで、符号７００はバッテリーで、符号７１０は前記バッテリー７００を保護するＰＣＭ（Ｐｒｏｔｅｃｔ  Ｃｉｒｃｕｉｔ  Ｍｏｄｕｌｅ、保護回路モジュール）である。
【００６３】
例えば、前記バッテリー７００がリチウムイオン電池である場合、前記ＰＣＭ７１０は前記バッテリー７００の爆発危険性を除去して、過充電及び過放電から保護し、電極端子の短絡を遮断して、過度な電流の流入を防止する。
【００６４】
このバッテリーパック７２０において、本発明は前記ＰＣＭ７１０にＮＦＣ用アンテナ部１２０のＳＭＴ型のループアンテナ１２４を装着して、前記バッテリー７００及びＰＣＭ７１０の上部に前記中継部１４０を位置させた後、一体にモールディングしてバッテリーパック７２０を形成する。
【００６５】
図１０〜図１３は、本発明のＮＦＣアンテナが中継部にフェライトシートを具備したまた他の実施例の構成を示す図である。図１０〜図１３を参照すると、本発明は前記中継部１４０に別途のフェライトシート８００を付着することで前記中継部１４０のループアンテナ１４４で生じられる磁界の強度を増大させ、これによってリーダー機１１０がＮＦＣ用チップ１００の認識距離をさらに増加することができるように構成することもある。
【００６６】
以上においては、代表的な実施例を介して本発明に対して詳しく説明したが、本発明が属する技術分野で通常の知識を持つ者は上述の実施例に対して本発明の範囲から外さない限度内で多様な変更が可能であることが理解できるだろう。
【００６７】
従って、本発明の権利範囲は、説明された実施例に限って決められてはならず、後述する特許請求の範囲だけでなく、この特許請求の範囲と均等なものによって定まらなければならない。
【産業上の利用可能性】
【００６８】
本発明は、ＮＦＣ用チップが内蔵されている携帯用端末機に、リーダー機及びＮＦＣチップが出力する所定周波数の信号に共振を構成する中継部を付着してリーダー機が送信する信号を中継部がＮＦＣ用アンテナ部に中継してＮＦＣ用チップでＮＦＣ用アンテナ部を介してリーダー機に送信する信号を中継するようにすることでリーダー機がＮＦＣ用チップを認識して所定の情報を取ることができる認識距離を増加させる。
【図１】
0005530513.tif 000002
【図２】
0005530513.tif 000003
【図３】
0005530513.tif 000004
【図４】
0005530513.tif 000005
【図５】
0005530513.tif 000006
【図６】
0005530513.tif 000007
【図７】
0005530513.tif 000008
【図８】
0005530513.tif 000009
【図９】
0005530513.tif 000010
【図１０】
0005530513.tif 000011
【図１１】
0005530513.tif 000012
【図１２】
0005530513.tif 000013
【図１３】
0005530513.tif 000014